(57)【要約】【課題】ＬＥＤ直列回路のＬＥＤ異常を正確に行え、ＬＥＤ直列回路の点灯制御も容易に行うことができるＬＥＤ点灯装置を提供することである。【解決手段】  定電流発生部１２は電源装置１１からの直流電源に基づいて直流の定電流を発生させる。定電流発生部１２からの定電流がＬＥＤ直列回路１３、１４に供給されたときにＬＥＤ直列回路１３、１４の複数のＬＥＤに発生する初期ＬＥＤ電圧を基準値設定部１７に記憶する。そして、異常検知部１６は、基準値設定部１７に記憶された初期ＬＥＤ電圧を基準にしてＬＥＤの異常状態を検出する。【選択図】  図１
2008235186.tif 000002
【特許請求の範囲】
【請求項１】
複数のＬＥＤが直列接続されたＬＥＤ直列回路に点灯用電力を供給する電源装置と；
前記電源装置からの電源に基づいて直流の定電流を発生させる定電流発生部と；
前記定電流発生部からの定電流が初期に前記ＬＥＤ直列回路に供給されたときの初期ＬＥＤ電圧を記憶する基準値設定部と；
前記基準値設定部に記憶された初期ＬＥＤ電圧を基準にしてＬＥＤ直列回路の異常状態を判断する閾値を設定する閾値設定部と；
前記ＬＥＤ直列回路の異常状態を閾値設定部の閾値に基づいて検出する異常検知部と；
を備えたことを特徴とするＬＥＤ点灯装置。
【請求項２】
前記ＬＥＤ直列回路は２並列以上に並列接続され、２並列以上の前記ＬＥＤ直列回路のうちの一つは、前記定電流発生部からの定電流制御により点灯される定電流ＬＥＤ直列回路であり、残りのＬＥＤ直列回路は前記定電流ＬＥＤ直列回路の両端電圧が印加されて点灯される定電圧ＬＥＤ直列回路であり、前記異常検知部は、前記定電流ＬＥＤ直列回路の異常は前記定電流ＬＥＤ直列回路の両端電圧に基づいて検出し、前記定電圧ＬＥＤ直列回路の異常は前記定電圧ＬＥＤ直列回路の限流抵抗の電流に基づいて検出することを特徴とする請求項１記載のＬＥＤ点灯装置。
【請求項３】
前記電源装置は、常用時には商用電源を直流に変換してバッテリに充電するとともにＬＥＤに点灯用電力を供給し、商用電源が停電した非常時にはバッテリからＬＥＤに点灯用電力を供給するものであり、前記異常検知部は、常用時と非常時とで異常状態の検出レベルを変えることを特徴とする請求項１または２記載のＬＥＤ点灯装置。
【請求項４】
前記閾値設定部は、常用時又は非常時のいずれか一方の初期ＬＥＤ電圧によりいずれか一方の閾値を設定すると他方の閾値も自動的に設定されることを特徴とする請求項３記載のＬＥＤ点灯装置。
【請求項５】
請求項１ないし４のいずれか一記載のＬＥＤ点灯装置と；
前記ＬＥＤを点灯制御するＬＥＤ点灯装置を収納する器具本体と；
前記器具本体の前面部に形成され前記導光板の出射面に設けられた表示板と；
を備えたことを特徴とする表示装置。
【発明の詳細な説明】
【技術分野】
【０００１】
本発明は、光源としてＬＥＤを使用したＬＥＤ点灯装置及び表示装置に関する。
【背景技術】
【０００２】
誘導灯や標識灯などの表示装置は、器具本体の正面に配置された表示板に対して光を出射して表示板を照明するように構成されている。通常、このような表示装置の表示板は平面的であるので、平面的な拡がりを持った光で表示板を照明することが必要である。そこで、複数のＬＥＤを直列接続した複数のＬＥＤラインを並列に配列して平面的なＬＥＤモジュールを構成したものがある（例えば、特許文献１参照）。
【０００３】
特許文献１のものでは、各々のＬＥＤラインに流れる電流を定電流に制御してＬＥＤモジュールの点灯制御を行い、各々のＬＥＤラインのいずれかが異常となっても、ＬＥＤ点灯駆動回路全体の定電流レベルを下げて健全なＬＥＤラインに流れる電流を一定にするように制御している。
【特許文献１】特開２００６−１０８５１９号公報
【発明の開示】
【発明が解決しようとする課題】
【０００４】
しかし、特許文献１のものでは、ＬＥＤラインにおけるＬＥＤの異常検出を各ＬＥＤラインの両端電圧を用いて検出するようになっているため、すべて一律に異常検出の閾値を設定してしまうと、複数のＬＥＤが直列接続されたＬＥＤ直列回路の個々のＬＥＤのバラツキによりＬＥＤ順電圧が異なった場合には、ＬＥＤの異常検出が正確に行えないことがある。
【０００５】
本発明の目的は、ＬＥＤ直列回路のＬＥＤ異常を正確に行え、ＬＥＤ直列回路の点灯制御も容易に行うことができるＬＥＤ点灯装置及び表示装置を提供することである。
【課題を解決するための手段】
【０００６】
請求項１の発明に係わるＬＥＤ点灯装置は、複数のＬＥＤが直列接続されたＬＥＤ直列回路に点灯用電力を供給する電源装置と；前記電源装置からの電源に基づいて直流の定電流を発生させる定電流発生部と；前記定電流発生部からの定電流が初期に前記ＬＥＤ直列回路に供給されたとき初期ＬＥＤ電圧を記憶する基準値設定部と；前記基準値設定部に記憶された初期ＬＥＤ電圧を基準にしてＬＥＤ直列回路の異常状態を判断する閾値を設定する閾値設定部と；前記ＬＥＤ直列回路の異常状態を閾値設定部の閾値に基づいて検出する異常検知部と；を備えたことを特徴とする。
【０００７】
本発明及び以下の発明において、特に指定しない限り用語の定義および技術的意味は以下による。
【０００８】
電源装置とは直流電源そのもの及び交流電源を直流に変換して直流電力を供給するものの双方を含む。定電流発生部とは、ＬＥＤ直列回路に供給する直流電力を定電流となるように制御するものである。
【０００９】
ＬＥＤ直列回路の初期ＬＥＤ電圧とは、電源装置から直流電力が初期状態で供給されたときのＬＥＤ直列回路の複数のＬＥＤに発生する電圧である。基準設定部、閾値設定部及び異常検知部は、例えばマイコンで実現される。例えば、電源装置から直流電力が初期状態で供給されたときに、ＬＥＤ直列回路の複数のＬＥＤに発生する電圧をマイコンで読み込み、マイコン内のメモリに形成される基準値設定部に初期ＬＥＤ電圧として記憶するとともに、閾値設定部に初期ＬＥＤ電圧を基準にしてＬＥＤ直列回路の異常状態を判断する閾値を設定する。そして、マイコンの処理機能の一部である異常検知部は閾値設定部の閾値に基づいてＬＥＤの異常状態を検出する。
【００１０】
請求項２の発明に係わるＬＥＤ点灯装置は、請求項１の発明において、前記ＬＥＤ直列回路は２並列以上に並列接続され、２並列以上の前記ＬＥＤ直列回路のうちの一つは、前記定電流発生部からの定電流が印加されて点灯される定電流ＬＥＤ直列回路であり、残りのＬＥＤ直列回路は前記定電流ＬＥＤ直列回路の両端電圧が印加されて点灯される定電圧ＬＥＤ直列回路であり、前記異常検知部は、前記定電流ＬＥＤ直列回路の異常は前記定電流ＬＥＤ直列回路の両端電圧に基づいて検出し、前記定電圧ＬＥＤ直列回路の異常は前記定電圧ＬＥＤ直列回路の限流抵抗の電流に基づいて検出することを特徴とする。
【００１１】
定電流ＬＥＤ直列回路とは、定電流発生部からの定電流点灯されるＬＥＤ直列回路であり、直列接続された複数のＬＥＤ及びその複数のＬＥＤに流れる定電流を検出する電流検出用抵抗を直列接続して構成される。定電流発生部とは、複数のＬＥＤ直列回路のうち定電流ＬＥＤ直列回路に供給する直流電力を直流電流が定電流となるように制御する。
【００１２】
定電圧ＬＥＤ直列回路とは、直列接続された複数のＬＥＤ及び限流抵抗を直列接続して構成され、定電流ＬＥＤ直列回路に並列接続されるＬＥＤ直列回路である。定電圧ＬＥＤ直列回路には、定電流ＬＥＤ直列回路の両端電圧が印加され、この印加される定電流ＬＥＤ直列回路の両端電圧により流れる電流で複数のＬＥＤを点灯する。
【００１３】
定電流ＬＥＤ直列回路の両端電圧とは、定電流発生部から供給される定電流が流れたときに定電流ＬＥＤ直列回路の両端に発生する電圧である。異常検知部は、定電流ＬＥＤ直列回路の電圧の低下により定電流ＬＥＤ直列回路のＬＥＤの短絡故障を検出し、定電流ＬＥＤ直列回路の電圧の上昇により定電流ＬＥＤ直列回路のＬＥＤの開放故障を検出する。
【００１４】
定電圧ＬＥＤ直列回路の限流抵抗の電流とは、定電圧ＬＥＤ直列回路に定電流ＬＥＤ直列回路の両端電圧が印加されたときに限流抵抗に流れる電流である。異常検知部は、限流抵抗の電圧が上昇により定電圧ＬＥＤ直列回路のＬＥＤの短絡故障を検出し、限流抵抗の電圧が低下により定電圧ＬＥＤ直列回路のＬＥＤの開放故障を検出する。
【００１５】
請求項３の発明に係わるＬＥＤ点灯装置は、請求項１または２の発明において、前記電源装置は、常用時には商用電源を直流に変換してバッテリに充電するとともにＬＥＤに点灯用電力を供給し、商用電源が停電した非常時にはバッテリからＬＥＤに点灯用電力を供給するものであり、前記異常検知部は、常用時と非常時とで異常状態の検出レベルを変えることを特徴とする。
【００１６】
常用時とは商用電源から正常に交流電力が供給されているときであり、非常時とは商用電源からの交流電力の供給が正常に供給されなくなったときである。常用時には商用電源からの交流電力を整流した直流電力が供給され、非常時にはバッテリに蓄積された直流電流が供給される。
【００１７】
商用電源からの交流電力を整流した直流電力が供給されている常用時と、バッテリからの直流電力が供給されている異常時とでは、ＬＥＤ直列回路の供給される点灯電力は異なる。常用時は通常の点灯電力が供給され、非常時は通常の点灯電力より小さい点灯電力が供給される。それに伴い、常用時の異常状態の検出レベルと、非常時の異常状態の検出レベルとを異ならせる。
【００１８】
請求項４の発明に係わるＬＥＤ点灯装置は、請求項３の発明において、前記閾値設定部は、常用時又は非常時のいずれか一方の初期ＬＥＤ電圧によりいずれか一方の閾値を設定すると他方の閾値も自動的に設定されることを特徴とする。
【００１９】
常時と非常時との点灯電力を所定値とすることで、この点灯電力の所定値と一方側の閾値とで他方の閾値を設定することができる。なお、この点灯電力の所定値は、予め定めることもできるし、一方のＬＥＤ電圧に基づいて定めてもよい。
【００２０】
請求項５の発明に係わる表示装置は、請求項１ないし４のいずれか一記載のＬＥＤ点灯装置と；前記ＬＥＤを点灯制御するＬＥＤ点灯装置を収納する器具本体と；前記器具本体の前面部に形成され前記導光板の出射面に設けられた表示板と；を備えたことを特徴とする。
【発明の効果】
【００２１】
請求項１の発明によれば、初期ＬＥＤ電圧を基準にしてＬＥＤの異常状態を検出するので、ＬＥＤのバラツキによりＬＥＤ順電圧が異なった場合であっても、ＬＥＤの異常検出をより正確に行うことができる。
【００２２】
請求項２の発明よれば、定電流ＬＥＤ直列回路に供給される定電流を制御することによって、定電圧ＬＥＤ直列回路に印加される定電流ＬＥＤ直列回路の両端電圧が制御されるので、ＬＥＤ直列回路の点灯制御を容易に行うことができる。また、定電流ＬＥＤ直列回路の異常は定電流ＬＥＤ直列回路の両端電圧の低下または上昇で検出でき、定電圧ＬＥＤ直列回路の異常は定電圧ＬＥＤ直列回路の限流抵抗の電流の増減で検出できるので、ＬＥＤ異常の検出が容易に行える。
【００２３】
請求項３の発明によれば、ＬＥＤ直列回路の供給される点灯電力に応じて、常用時の異常状態の検出レベルと非常時の異常状態の検出レベルとを異ならせるので、より適切にＬＥＤの異常検出を行うことができる。
【００２４】
請求項４の発明によれば、閾値が異なる二形態であっても、いずれか一方の検出及び設定で済むので設定作業が容易となる。
【００２５】
請求項５の発明によれば、請求項１ないし４のいずれか一の発明の効果を有した表示装置を提供できる。
【発明を実施するための最良の形態】
【００２６】
図１は本発明の実施の形態に係わるＬＥＤ点灯装置の構成図である。ＬＥＤ点灯装置は、電源装置１１及び定電流発生部１２を有し、複数のＬＥＤが直列接続されたＬＥＤ直列回路として、定電流ＬＥＤ直列回路１３と定電圧ＬＥＤ直列回路１４とを備えている。また、定電流ＬＥＤ直列回路１３の両端電圧は、両端電圧検出用抵抗Ｒａ、Ｒｂで検出されマイコン１５に入力される。マイコン１５は異常検知部１６、基準位置設定部１７及び閾値設定部３６を備えている。
【００２７】
マイコン１５の基準値設定部１７は、ＬＥＤ直列回路の初期ＬＥＤ電圧を記憶するものである。そして、異常検知部１６は、基準値設定部１７に記憶された初期ＬＥＤ電圧を基準にしてＬＥＤ直列回路のＬＥＤの異常状態を検出する。ＬＥＤ直列回路の初期ＬＥＤ電圧は、電源装置１１から直流電力がＬＥＤ直列回路に初期状態で供給されたときのＬＥＤ直列回路の複数のＬＥＤに発生する電圧であり、例えば、電源装置１１から直流電力が初期状態で供給されたときに、ＬＥＤ直列回路の複数のＬＥＤに発生する電圧をマイコン１５で読み込み、マイコン１５内のメモリに形成される基準値設定部１７に初期ＬＥＤ電圧として記憶する。また、閾値設定部３６に初期ＬＥＤ電圧を基準にしてＬＥＤ直列回路の異常状態を判断する閾値を設定する。そして、異常検知部１６は閾値設定部３６の閾値に基づいてＬＥＤの異常状態を検出する。
【００２８】
基準値設定部１７への初期ＬＥＤ電圧の記憶及び閾値設定部３６への閾値の設定は、製品の製造過程において初期設定が行われ、製品の出荷後に閾値設定部３６の閾値に基づいてＬＥＤの異常状態を検出することになる。
【００２９】
図２はマイコン１５による基準値設定部１７への初期ＬＥＤ電圧の記憶及び閾値設定部３６への閾値の設定の手順を示すフローチャートである。
【００３０】
まず、製品の製造過程において電源装置からＬＥＤ直列回路１３、１４に定電流を流し（Ｓ１）、このときのＬＥＤに発生する電圧を初期ＬＥＤ電圧として記憶するとともに（Ｓ２）、初期ＬＥＤ電圧を基準にしてＬＥＤの異常状態を判断するための閾値を設定する（Ｓ３）。そして、製品の出荷後は、設定された閾値に基づいてＬＥＤの異常状態を検出する（Ｓ４）。
【００３１】
このように、製品の製造過程において、基準値設定部１７への初期ＬＥＤ電圧の記憶及び閾値設定部３６への閾値の設定の初期設定が行われるので、市場に流通する製品の実際の使用時に発生する異常を確実に検知することができる。また、仮に初期の段階でＬＥＤに異常が生じている場合には、製造過程において設定作業を行うので、当該製造時の初期段階でＬＥＤの異常を判断できるので、異常である製品を異常に流通させることを防止できる。
【００３２】
次に、電源装置１１は、商用電源１８からの交流電力を整流回路１９で整流して直流電力に変換し、インテリジェントパワーデバイス（ＩＰＤ）２０及びトランス２１を介して、常用時直流電源２２及び非常時直流電源２３に直流電力を供給する。非常時直流電源２３はバッテリ２４を備え、商用電源１８から電力が供給されている常用時において、充電制御回路２５によりバッテリ２４に充電する。また、トランス２１の一次側には電源監視回路２６が設けられ、商用電源１８から正常に交流電力が供給されているか否かの監視が行われている。
【００３３】
定電流発生部１２は点灯制御回路２７及び制御ＩＣ２８を備え、商用電源１８から電力が供給されている常用時においては、常用時直流電源２２から定電流発生部１２の点灯制御回路２７により定電流ＬＥＤ直列回路１３及び定電圧ＬＥＤ直列回路１４のＬＥＤ点灯用の直流電力を供給するとともに、非常時直流電源２３から充電制御回路２５によりバッテリ２４に充電する。
【００３４】
一方、電源監視回路２６が商用電源１８が喪失し、商用電源１８から電力が供給されない非常時を検出すると、電源監視回路２６はマイコン１５、充電制御回路２５、点灯制御回路２７にその旨を通知する。商用電源１８から電力が供給されない非常時においては、バッテリ２４から定電流発生部１２の制御ＩＣ２８により定電流ＬＥＤ直列回路１３及び定電圧ＬＥＤ直列回路１４のＬＥＤ点灯用の直流電力を供給する。
【００３５】
定電流ＬＥＤ直列回路１３は、直列接続された複数のＬＥＤ２９ａ、スイッチ素子Ｑ１と電流検出用抵抗Ｒ１との直列回路３０、及びスイッチ素子Ｑ２と電流検出用抵抗Ｒ２との直列回路３１を有している。直列回路３０、３１は並列接続され、直列回路３０、３１の並列回路は複数のＬＥＤ２９ａに直列接続されている。
【００３６】
直列回路３０は非常時において、マイコン１５からの指令によりスイッチ素子Ｑ１がオンとなり、定電流発生部１２の制御ＩＣ２８により電流検出用抵抗Ｒ１が所定値を維持するように、非常時において定電流ＬＥＤ直列回路１３に流れる電流を制御する。
【００３７】
直列回路３１は常用時において、マイコン１５からの指令によりスイッチ素子Ｑ２がオンとなり、定電流発生部１２の点灯用制御回路２７により電流検出用抵抗Ｒ２が所定値を維持するように、常用時において定電流ＬＥＤ直列回路１３に流れる電流を制御する。
【００３８】
定電圧ＬＥＤ直列回路１４は、直列接続された複数のＬＥＤ２９ｂ、スイッチ素子Ｑ３と限流抵抗Ｒ３との直列回路３２、及びスイッチ素子Ｑ４と限流抵抗Ｒ４との直列回路３３を有している。直列回路３２、３３は並列接続され、直列回路３２、３３の並列回路は複数のＬＥＤ２９ｂに直列接続されている。
【００３９】
直列回路３２は非常時において、マイコン１５からの指令によりスイッチ素子Ｑ３がオンとなり、非常時において定電圧ＬＥＤ直列回路１４に印加される定電流ＬＥＤ直列回路１３の端子電圧により、複数のＬＥＤ２９ｂに電流を流す。そして、限流抵抗Ｒ３に流れる電流をマイコン１５の異常検知部１６に出力し、異常検知部１６で非常時に定電圧ＬＥＤ直列回路１４に流れる電流を監視する。
【００４０】
直列回路３２は常用時において、マイコン１５からの指令によりスイッチ素子Ｑ４がオンとなり、常用時において定電圧ＬＥＤ直列回路１４に印加される定電流ＬＥＤ直列回路１３の端子電圧により、複数のＬＥＤ２９ｂに電流を流す。そして、限流抵抗Ｒ４に流れる電流をマイコン１５の異常検知部１６に出力し、異常検知部１６で常用時に定電圧ＬＥＤ直列回路１４に流れる電流を監視する。
【００４１】
また、マイコン１５の異常検知部１６には、定電流ＬＥＤ直列回路１３の両端電圧を検出する両端電圧検出用抵抗Ｒａ、Ｒｂの電圧が入力され、定電流ＬＥＤ直列回路１３の両端電圧が監視される。
【００４２】
次に、マイコン１５の異常検知部１６での定電流ＬＥＤ直列回路１３のＬＥＤの故障検出について説明する。いま、常用時の場合について説明する。常用時において、定電流ＬＥＤ回路１３のいずれかのＬＥＤに短絡故障が発生したとすると、電流検出用抵抗Ｒ２に流れる電流が多くなり電流検出用抵抗Ｒ２の電圧が上昇する。この変化に対し、定電流発生部１２の点灯制御回路２７は、定電流ＬＥＤ直列回路１３に流れる電流が所定値になるように制御する。つまり、電流検出用抵抗Ｒ２の電圧が所定値になるように定電流ＬＥＤ直列回路１３に流れる電流を抑制する方向に制御する。従って、定電流ＬＥＤ直列回路１３の電圧が低下する。そこで、異常検知部１６は、両端電圧検出用抵抗Ｒａ、Ｒｂの電圧を監視し、定電流ＬＥＤ直列回路１３の電圧の低下により、定電流ＬＥＤ直列回路１３のＬＥＤに短絡故障が発生したと判定する。
【００４３】
一方、定電流ＬＥＤ回路１３のいずれかのＬＥＤに開放故障が発生したとすると、電流検出用抵抗Ｒ２に流れる電流が少なくなり（零となり）、電流検出用抵抗Ｒ２の電圧が下降する。この変化に対し、定電流発生部１２の点灯制御回路２７は、定電流ＬＥＤ直列回路１３に流れる電流が所定値になるように、電流検出用抵抗Ｒ２の電圧が所定値になるように定電流ＬＥＤ直列回路１３に流れる電流を増加する方向に制御する。従って、定電流ＬＥＤ直列回路１３の電圧が上昇する。そこで、異常検知部１６は、両端電圧検出用抵抗Ｒａ、Ｒｂの電圧を監視し、定電流ＬＥＤ直列回路１３の電圧の上昇により、定電流ＬＥＤ直列回路１３のＬＥＤに開放故障が発生したと判定する。
【００４４】
以上の説明では、常用時の場合について説明したが、非常時の場合も同様に、異常検知部１６は、両端電圧検出用抵抗Ｒａ、Ｒｂの電圧を監視し、定電流ＬＥＤ直列回路１３の電圧の低下により定電流ＬＥＤ直列回路１３のＬＥＤの短絡故障を検出し、定電流ＬＥＤ直列回路１３の電圧の上昇により、定電流ＬＥＤ直列回路１３のＬＥＤの開放故障を検出する。
【００４５】
次に、マイコン１５の異常検知部１６での定電圧ＬＥＤ直列回路１４のＬＥＤの故障検出について説明する。いま、常用時の場合について説明する。定電圧ＬＥＤ直列回路１４のＬＥＤに短絡故障が発生したとすると、定電圧ＬＥＤ直列回路１４の限流抵抗Ｒ４に流れる電流が多くなり、限流抵抗Ｒ４の電圧が上昇する。そこで、異常検知部１６は、限流抵抗Ｒ４に流れる電流（限流抵抗Ｒ４の電圧）を監視し、その電圧の上昇により、定電圧ＬＥＤ直列回路１４のＬＥＤに短絡故障が発生したと判定する。
【００４６】
一方、定電圧ＬＥＤ直列回路１４のＬＥＤに開放故障が発生したとすると、限流抵抗Ｒ４に流れる電流が少なくなり（零となり）、限流抵抗Ｒ４の電圧が下降する。そこで、異常検知部１６は、限流抵抗Ｒ４に流れる電流（限流抵抗Ｒ４の電圧）を監視し、その電圧の低下により、定電圧ＬＥＤ直列回路１４のＬＥＤに開放故障が発生したと判定する。
【００４７】
以上の説明では、常用時の場合について説明したが、非常時の場合も同様に、異常検知部１６は、限流抵抗Ｒ３の電圧を監視し、限流抵抗Ｒ３の電圧の上昇により定電圧ＬＥＤ直列回路１４のＬＥＤの短絡故障を検出し、限流抵抗Ｒ３の電圧の低下により定電圧ＬＥＤ直列回路１４のＬＥＤの開放故障を検出する。
【００４８】
前述したように、マイコン１５の基準値設定部１７には、ＬＥＤ直列回路の初期ＬＥＤ電圧が記憶される。ＬＥＤ直列回路が定電流ＬＥＤ直列回路１３及び定電圧ＬＥＤ直列回路１４で形成される場合には、定電流ＬＥＤ直列回路１３及び定電圧ＬＥＤ直列回路１４の常用時及び非常時の初期ＬＥＤ電圧が記憶される。そして、異常検知部１６は、基準値設定部１７に記憶された初期ＬＥＤ電圧を基準にしてＬＥＤの異常状態を検出する。
【００４９】
定電流ＬＥＤ直列回路１３の常用時の初期ＬＥＤ電圧は、定電流ＬＥＤ直列回路１３のスイッチ素子Ｑ２がオンの状態で、商用電源１８からの交流電力を整流した直流電力が初期状態で供給されたときの複数のＬＥＤ２９ａに発生する電圧であり、定電流ＬＥＤ直列回路１３の電流検出用抵抗Ｒ２の電圧と、両端電圧検出用抵抗Ｒａ、Ｒｂの電圧との差電圧で検出される。
【００５０】
定電流ＬＥＤ直列回路１３の非常時の初期ＬＥＤ電圧は、定電流ＬＥＤ直列回路１３のスイッチ素子Ｑ１がオンの状態で、バッテリ２４からの直流電力が初期状態で供給されたときの複数のＬＥＤ２９ａに発生する電圧であり、定電流ＬＥＤ直列回路１３の電流検出用抵抗Ｒ１の電圧と、両端電圧検出用抵抗Ｒａ、Ｒｂの電圧との差電圧で検出される。
【００５１】
同様に、定電圧ＬＥＤ直列回路１４の常用時の初期ＬＥＤ電圧は、定電圧ＬＥＤ直列回路１４のスイッチ素子Ｑ４がオンの状態で、商用電源１８からの交流電力を整流した直流電力が初期状態で供給されたときの複数のＬＥＤ２９ｂに発生する電圧であり、定電圧ＬＥＤ直列回路１４の限流抵抗Ｒ４の電圧と、両端電圧検出用抵抗Ｒａ、Ｒｂの電圧との差電圧で検出される。
【００５２】
定電圧ＬＥＤ直列回路１４の非常時の初期ＬＥＤ電圧は、定電圧ＬＥＤ直列回路１４のスイッチ素子Ｑ３がオンの状態で、バッテリ２４からの直流電力が初期状態で供給されたときの複数のＬＥＤ２９ｂに発生する電圧であり、定電圧ＬＥＤ直列回路１４の限流抵抗Ｒ３の電圧と、両端電圧検出用抵抗Ｒａ、Ｒｂの電圧との差電圧で検出される。
【００５３】
以上の説明では、マイコン１５の基準値設定部１７に、定電流ＬＥＤ直列回路１３及び定電圧ＬＥＤ直列回路１４の常用時及び非常時の初期ＬＥＤ電圧を記憶するようにしたが、いずれか一方を記憶するようにしてもよい。例えば、常用時の初期ＬＥＤ電圧を記憶した場合には、非常時に流れる電流に応じて非常時の初期ＬＥＤ電圧を求めることができる。逆に、非常時の初期ＬＥＤ電圧を記憶した場合には、常用時に流れる電流に応じて常用時の初期ＬＥＤ電圧を求めることができる。
【００５４】
ここで、商用電源１８からの交流電力を整流した直流電力が供給されている常用時と、バッテリ２４からの直流電力が供給されている異常時とでは、ＬＥＤ直列回路１３、１４の供給される点灯電力は異なる。常用時は通常の点灯電力が供給され、非常時は通常の点灯電力より小さい点灯電力が供給される。そこで、異常検知部１６は、常用時と非常時とで異常状態の検出レベルを変えてＬＥＤの異常判定を行うようにしてもよい。この場合は、より適切にＬＥＤの異常検出を行うことができる。
【００５５】
このように、定電流ＬＥＤ直列回路１３及び定電圧ＬＥＤ直列回路１４の初期ＬＥＤ電圧を基準にしてＬＥＤの異常状態を検出するので、ＬＥＤのバラツキによりＬＥＤ順電圧が異なった場合であっても、ＬＥＤの異常検出をより正確に行うことができる。また、常用時と非常時とで異常状態の検出レベルを変えることにより、より適切にＬＥＤの異常検出を行うことができる。
【００５６】
図３は本発明の実施の形態に係わる表示装置の斜視図である。図３では、非常口への誘導を行う誘導灯である場合を示している。器具本体３４には図１に示したＬＥＤ点灯装置が収納されている。器具本体３４の上面部や背面部のほぼ中央には、図示省略の電源穴や取付用穴が設けられ、電源穴を通して商用電源から電力を供給する電源線が器具本体３４内に引き込まれる。
【００５７】
そして、器具本体３４に収納されたＬＥＤ点灯装置に電源が供給され、器具本体３４内に引き込まれた商用電源からの電源線は端子台２４に接続され、この端子台２４から器具本体３４内の各要素、例えば点灯ユニット２０やバッテリー２１、さらには後述の光源部のＬＥＤに電力が供給される。ＬＥＤ点灯装置のＬＥＤを点灯するとともにバッテリに電力を充電する。一方、商用電源が停電したときにはバッテリからＬＥＤに電力を供給する。
【００５８】
器具本体３４の前面部には、表示板３５が配置され、表示板３５の背面部からＬＥＤ点灯装置のＬＥＤからの光が照射される。これにより、表示板３５に描かれた図形や文字等を照明表示することになる。図３では、表示板３５に非常口に案内する図柄が描かれているものを示している。
【００５９】
誘導灯においては必要輝度は法的に定められているため、ＬＥＤに異常があり輝度が低減した場合はＬＥＤの異常を報知する必要があるが、図１に示したＬＥＤ点灯装置を採用すると、マイコン１５の異常検知部１６により検知できるのでＬＥＤの異常を適切に報知できる。
【図面の簡単な説明】
【００６０】
【図１】本発明の実施の形態に係わるＬＥＤ点灯装置の構成図。
【図２】本発明の実施の形態におけるマイコンによる基準値設定部への初期ＬＥＤ電圧の記憶及び閾値設定部への閾値の設定の手順を示すフローチャート。
【図３】本発明の実施の形態に係わる表示装置の斜視図。
【符号の説明】
【００６１】
１１…電源装置、１２…定電流発生部、１３…定電流ＬＥＤ直列回路、１４…定電圧ＬＥＤ直列回路、１５…マイコン、１６…異常検知部、１７…基準位置設定部、１８…商用電源、１９…整流回路、２０…ＩＰＤ、２１…トランス、２２…常用時直流電源、２３…非常時直流電源、２４…バッテリ、２５…充電制御回路、２６…電源監視回路、２７…点灯制御回路、２８…制御ＩＣ、２９…ＬＥＤ、３０…直列回路、３１…直列回路、３２…直列回路、３３…直列回路、３４…器具本体、３５…表示板、３６…閾値設定部
【図１】
2008235186.tif 000003
【図２】
2008235186.tif 000004
【図３】
2008235186.tif 000005